(57)【要約】【課題】吸込口部分の手入れをより簡便化することの可能な髪ケア装置を得る。【解決手段】ヘアドライヤー１の空気吸込口２ａに、当該吸込口２ａの開口領域を細分化する多孔状の保護枠体１０を取り付け、さらにその保護枠体１０の外側に当該保護枠体１０の開口領域をさらに細分化するメッシュ状のフィルタ１１を配置する。これにより、メッシュ状のフィルタ１１に埃を堆積し難くできるとともに、フィルタ１１に埃が付着したとしてもその埃を外側から容易に掃除できるようになり、吸込口２ａ部分の手入れを簡便化することができる。【選択図】図５
2012010863.tif 000002
【特許請求の範囲】
【請求項１】
内部に空気流路が形成されるハウジングと、
前記空気流路の上流側端部に設けられる空気吸込口および下流側端部に設けられる空気吹出口と、
前記空気吸込口から吸い込んだ空気を前記空気吹出口から吐出させる送風部と、
前記空気吸込口に設けられ、当該吸込口の開口領域を細分化する多孔状の保護枠体と、
前記保護枠体の外側に配置され、当該保護枠体の開口領域をさらに細分化するメッシュ状のフィルタと、
を備えることを特徴とする髪ケア装置。
【請求項２】
前記保護枠体は、同心円状に配置される複数の環状枠部と、当該環状枠部と交わるように前記吸込口の略中心から放射状に延びる複数の直線状枠部とにより構成されていることを特徴とする請求項１に記載の髪ケア装置。
【請求項３】
前記直線状枠部は、前記複数の環状枠部のうち最も内周側となる環状枠部の内側に位置する内側直線部分と外側に位置する外側直線部分とが、一直線方向に対して相互にずれて配置されていることを特徴とする請求項２に記載の髪ケア装置。
【請求項４】
前記保護枠体は、当該保護枠体の開口形状がハニカム構造となるように形成されていることを特徴とする請求項１〜３のうち何れか１項に記載の髪ケア装置。
【請求項５】
前記保護枠体と前記フィルタとは、合成樹脂材料によって一体成形されていることを特徴とする請求項１〜４のうち何れか１項に記載の髪ケア装置。
【請求項６】
前記フィルタの外側に前記保護枠体と略同一形状の多孔状の支持枠体を設け、
前記保護枠体および支持枠体の開口を、空気の流入方向に対して略一致させて配置するようにしたことを特徴とする請求項１〜５のうち何れか１項に記載の髪ケア装置。
【請求項７】
前記支持枠体の厚みは、前記保護枠体の厚みよりも薄く形成されていることを特徴とする請求項１〜６のうち何れか１項に記載の髪ケア装置。
【請求項８】
前記保護枠体と前記フィルタと前記支持枠体とは、合成樹脂材料によって一体成形されていることを特徴とする請求項６または７に記載の髪ケア装置。
【請求項９】
前記保護枠体は、着脱不可となるように前記ハウジングに一体もしくは強固に結合されていることを特徴とする請求項１〜８のうち何れか１項に記載の髪ケア装置。
【発明の詳細な説明】
【技術分野】
【０００１】
本発明は、髪ケア装置に関する。
【背景技術】
【０００２】
例えばヘアドライヤーなどの髪ケア装置では、空気吸込口から吸い込んだ空気を直接または加熱して空気吹出口から冷風または温風として吐出させるようになっている。そのとき、吸込口には指などが誤って入り込むのを阻止するため、吸込口の開口領域を細分化する多孔状の保護枠体を設けるのが一般的である。さらには、その保護枠体の開口領域をさらに細分化してゴミや埃および毛髪などが吸い込まれないようにメッシュ状のフィルタを設けたものが知られている（例えば、特許文献１参照）。
【先行技術文献】
【特許文献】
【０００３】
【特許文献１】特開２００８−３０７２２１号公報
【発明の概要】
【発明が解決しようとする課題】
【０００４】
しかしながら、上記従来のヘアドライヤーにあっては、吸込口に設けられる保護枠体の内側にメッシュ状のフィルタを配置しているため、フィルタの淵に埃が溜まりやすくなってしまう。また、このように埃が溜まった場合、埃は段差となる保護枠体内側のフィルタに堆積するため、掃除がしにくく吸込口部分の手入れが煩雑化してしまうという問題があった。
【０００５】
そこで、本発明は、吸込口部分の手入れをより簡便化することの可能な髪ケア装置を得ることを目的とする。
【課題を解決するための手段】
【０００６】
かかる課題を解決するために、本発明の髪ケア装置にあっては、内部に空気流路が形成されるハウジングと、前記空気流路の上流側端部に設けられる空気吸込口および下流側端部に設けられる空気吹出口と、前記空気吸込口から吸い込んだ空気を前記空気吹出口から吐出させる送風部と、前記空気吸込口に設けられ、当該吸込口の開口領域を細分化する多孔状の保護枠体と、前記保護枠体の外側に配置され、当該保護枠体の開口領域をさらに細分化するメッシュ状のフィルタと、を備えることを特徴とする。
【発明の効果】
【０００７】
本発明の髪ケア装置によれば、空気吸込口に設けられる保護枠体の外側にメッシュ状のフィルタを配置したため、フィルタの淵に埃を堆積し難くできるとともに、フィルタに埃が付着したとしてもその埃を外側から容易に掃除できるようになり、吸込口部分の手入れを簡便化することができる。
【図面の簡単な説明】
【０００８】
【図１】本発明の第１実施形態にかかるヘアドライヤーの側面図である。
【図２】図１に示すヘアドライヤーの背面図である。
【図３】図１に示すヘアドライヤーの平面図である。
【図４】図３中Ａ−Ａ線に沿った断面図である。
【図５】図１に示すヘアドライヤーの空気吸込口に取り付けられる保護枠体とメッシュ状のフィルタとを並べた斜視図である。
【図６】図１に示すヘアドライヤーに設けられるイオン発生部のイオン発生部カバーと装飾ケースとの関係を示す断面図である。
【図７】図３中Ｂ−Ｂ線に沿った断面図である。
【図８】図７中Ｃ部の拡大断面図である。
【図９】図４中Ｄ−Ｄ線に沿った断面図である。
【図１０】図４中Ｅ−Ｅ線に沿った断面図である。
【図１１】図３中Ｆ−Ｆ線に沿った断面図である。
【図１２】図１１中Ｇ部の拡大断面図である。
【図１３】図３中Ｈ−Ｈ線に沿った断面図である。
【図１４】図１３中Ｉ部拡大断面図である。
【図１５】図４中Ｊ部の拡大断面図である。
【図１６】本発明の第２実施形態にかかるヘアドライヤーの側面図である。
【図１７】図１６に示すヘアドライヤーの空気吸込口に取り付けられる保護枠体とメッシュ状のフィルタと支持枠体とを並べた斜視図である。
【図１８】本発明の第３実施形態にかかるブラシ付きヘアドライヤーの本体部分を示す平面図である。
【図１９】図１８中Ｌ−Ｌ線に沿った断面図である。
【図２０】図１８に示すヘアドライヤーの空気吸込口に取り付けられる保護枠体とメッシュ状のフィルタと支持枠体とを並べた側面図である。
【発明を実施するための形態】
【０００９】
以下、本発明の実施形態について図面を参照しながら詳細に説明する。
【００１０】
［第１実施形態］
図１〜図１５は、本発明にかかる髪ケア装置の第１実施形態を示した図であり、本実施形態では、髪ケア装置としてヘアドライヤー１を例にとって説明するものとする。なお、図１中、Ｆｒは前方、Ｕｐは上方を示す。
【００１１】
図１〜図４に示すように、ヘアドライヤー１は、内部に空気流路Ｗが形成される風洞部２を有したハウジング３と、このハウジング３の後端部下側から突設したグリップ取付部３１に回動自在な連結部４を介して折り畳み自在に連結されたグリップ部５と、を備えて概ね構成されている。ハウジング３は、左右に分割されたハウジングパーツを組み合わせて結合することにより構成される。
【００１２】
風洞部２は、後端部（空気流路Ｗの上流側端部：図１中右側）に空気吸込口２ａと、前端部（空気流路Ｗの下流側端部：図１中左側）に空気吹出口２ｂとが設けられ、その風洞部２の内部には送風部６およびヒータ（図示省略）が後方から前方に向かって直列に配置されている。また、風洞部２は、ハウジング３の内面との間に筒状の空気流路Ｗを確保した状態でハウジング３にセットされ、これら風洞部２とハウジング３とは一体となっている。なお、本実施形態では、空気吹出口２ｂは風洞部２の前端部に取り付けられるノズル７の先端となるが、このノズル７を取り外した場合は風洞部２の先端が空気吹出口２ｂとなる。
【００１３】
送風部６は、ファン６１、このファン６１を回転するモータ６２、およびこのモータ６２を風洞部２の内側に支持して通過空気の整流機能を有する整流脚６３などによって構成される。そして、ファン６１がモータ６２で回転駆動されることにより風洞部２内に空気流を発生させ、空気吸込口２ａから吸い込んだ空気を空気吹出口２ｂから吹き出すようになっている。すなわち、送風部６は空気流路Ｗに配置されて当該空気流路Ｗに導入された空気を送風する機能を有する。このとき、上記ヒータ（図示せぬ）に通電して加熱することにより、空気吹出口２ｂからの送風を温風とすることができる。
【００１４】
また、風洞部２の上部には、マイナスイオンを発生させて放出するイオン発生部８が設けられている。このイオン発生部８は、マイナスイオンを発生させるイオン発生ブロック８１を備え、グリップ取付部３１内に配置した高電圧発生部８２で発生させた高電圧をイオン発生部８に印加してコロナ放電させることによりマイナスイオンが発生される。
【００１５】
イオン発生部８は、風洞部２の上側を切欠いた開口部２Ｋから風洞部２内を流れる空気の一部を導入し、その導入した空気ととともに発生したマイナスイオンをイオン放出口８３から前方に放出するようになっている。マイナスイオンは、毛髪にツヤやしっとり感を与えるとともに、毛髪のクセ取りに効果を発揮するとされている。
【００１６】
イオン発生部８は、イオン発生ブロック８１を保持する（図９参照）とともに、風洞部２から導入する空気導入路８４および上述のイオン放出路８３を形成するイオン発生部カバー８５が設けられている。このイオン発生部カバー８５は、本実施形態では合成樹脂材料によって成形されている。
【００１７】
グリップ部５の前側中央部には、上下複数段の切り換え自在にスイッチＳＷが設けられており、このスイッチＳＷによってモータ６２およびヒータのオン・オフおよび風量調節などが行われる。また、グリップ部５の下端には電源に繋げるコードＣが取り付けられている。
【００１８】
図１および図２に示すように空気吸込口２ａには、当該吸込口２ａの開口領域を細分化する多孔状の保護枠体１０が取り付けられており、この保護枠体１０によって指などの比較的大きな異物が誤って風洞部２内に入り込まないようにしてある。
【００１９】
ここで、本実施形態では、図５に示すように、保護枠体１０のさらに外側に当該保護枠体１０の開口領域をさらに細分化するメッシュ状のフィルタ１１を配置してある。なお、図１〜図４では、便宜上、フィルタ１１を図示していない。これは、保護枠体１０の内側（整流脚６３など）や開口１０ａ（後述する環状枠部１０ｂ、直線状枠部１０ｃ）を図示するためである。
【００２０】
フィルタ１１は、ゴミや埃および毛髪などの比較的小さな異物が空洞部２内に入り込むのを抑える機能を有し、金属メッシュもしくはポリエステルなどの難燃性樹脂からなるメッシュで形成される。フィルタ１１の開口率は、５０〜９０パーセント（好ましくは５０〜７５パーセント）で３００〜６５０μｍという目の細かい網目幅のものが好ましい。このように細かい網目幅のフィルタ１１を用いることにより、細かい埃や毛髪などがファン６１やモータ６２およびヒータ部分に侵入するのをより効果的に防ぐことができる。
【００２１】
保護枠体１０は、空気吸込口２ａの略中心を中心として同心円状に配置される複数の環状枠部１０ｂと、この環状枠部１０ｂと交わるように空気吸込口２ａの略中心から放射状に延びる複数の直線状枠部１０ｃとにより構成されている。したがって、保護枠体１０の複数の開口１０ａは、これら環状枠部１０ｂと直線状枠部１０ｃとによって形成される。
【００２２】
このとき、図５に示すように、直線状枠部１０ｃは、複数の環状枠部１０ｂのうち最も内周側となる環状枠部１０ｂＡの内側に位置する内側直線部分１０ｃＡと外側に位置する外側直線部分１０ｃＢとが、径方向となる一直線方向に対して相互にずれて配置されている。
【００２３】
保護枠体１０とメッシュ状のフィルタ１１とは合成樹脂材料によって一体成形されるようになっている。その際、成形する合成樹脂材料の中でも融点の低いＡＢＳを用いることが、成形時のフィルタ１１の劣化を防ぐという点で好ましい。なお、保護枠体１０の厚みは１．５ｍｍ程度が好ましい。
【００２４】
また、保護枠体１０の直線状枠部１０ｃは、本実施形態では主枠となる第１枠１０ｃ１と、副枠となる第２枠１０ｃ２および第３枠１０ｃ３が設けられており、第１枠１０ｃ１の幅は２ｍｍ程度、第２枠１０ｃ２および第３枠１０ｃ３の幅は１．５ｍｍ程度が好ましい。このとき、主枠となって幅が最も大きな第１枠１０ｃ１の本数は、共鳴による騒音の問題を踏まえて送風部６の整流脚６３の本数とファン６１の枚数と異なることが好ましい。本実施形態では、図２および図７に示すように、整流脚６３を７本、ファン６１を６枚とし、第１枠１０ｃ１を８本としてある。
【００２５】
さらに、第１枠１０ｃ１の中間に第２枠１０ｃ２を配置することにより保護枠体１０の強度をより増大できる。第３枠１０ｃ３は、メッシュ状のフィルタ１１と一体成形した際に、そのメッシュ状のフィルタ１１の強度を確保できるようになっている。
【００２６】
また、保護枠体１０は、環状枠部１０ｂや直線状枠部１０ｃなどの桟の配置数を増加することにより空気吸込口２ａの強度が高まり、落下や衝撃による前記吸込口２ａの破損をより低減できる反面、性能面では桟の増加により風量が低下されるため、それらの兼ね合いで環状枠部１０ｂや直線状枠部１０ｃの数が決定されることになる。
【００２７】
また、本実施形態では、保護枠体１０の開口１０ａの形状は、環状枠部１０ｂおよび直線状枠部１０ｃによって略台形状となっているが、これに限ることなく図示は省略したが、例えば正六角形となるハニカム構造となるように形成することがより好ましい。
【００２８】
なお、本実施形態の保護枠体１０は、着脱不可となるようにハウジング３に一体もしくは強固に結合されている。つまり、このように保護枠体１０が着脱不可となることは、本実施形態では、それに一体成形されたメッシュ状のフィルタ１１もハウジング３に対して着脱不可となっている。すなわち、図４に示すように保護枠体１０の周縁部には取付用突起１０ｄが複数箇所もしくは全周に形成され、その取付用突起１０ｄがハウジング３の後端部外周に嵌着されるのであるが、そのとき、取付用突起１０ｄをハウジング３に接着または圧入しておくことにより、保護枠体１０の着脱が容易に行われずに通常の操作では着脱不可とすることができる。
【００２９】
ところで、本実施形態のヘアドライヤー１では、ハウジング３の少なくとも一部、本実施形態ではハウジング３の上部に設けられたイオン発生部８を覆う部分が、裏側（ハウジング３の中心方向側）に装飾部２１を設けた透明または半透明の装飾ケース２０で構成されている。この装飾ケース２０は、透明または半透明の合成樹脂材料によって一体成形される。このとき、その装飾ケース２０に設けられる装飾部２１は、図１０に示すように装飾ケース２０の肉厚変化で形出されるダイヤモンドカット状の多面体形状となっている。
【００３０】
そして、多面体形状の装飾部２１は、メタリック調の光沢を有する塗装（不透明の材料）が施されている。なお、装飾部２１は、メタリック調の塗装以外にも金属箔の添着や多様な色による印刷であってもよい。また、装飾ケース２０の外側面にも印刷による装飾が施されるようにしてもよい。
【００３１】
このようにイオン発生部８を覆う部分が、裏側に装飾部２１を設けた透明または半透明の装飾ケース２０で構成されことにより、その装飾ケース２０を外側から見ると、装飾部２１の多面体形状に光が反射してデザイン性に優れた陰影を発生させることができる。これにより、従来無かった深みのある装飾効果を醸し出すことができ、ヘアドライヤー１の外観性をより向上して商品価値をより高めることができる。また、装飾部２１は装飾ケース２０の裏側に設けられて別途に設けられるものでないため、部品点数を削減してコストの上昇や重量の嵩み、かつ生産能率の悪化を抑えることができる。
【００３２】
装飾ケース２０は、図７および図８に示すように、前後方向ほぼ中央部の両側に設けた係合片２３を、ハウジング３の内側から突設する爪片３２に係合させることで、ハウジング３に取り付けられている。また、図１５に示すように、装飾ケース２０の後端部に設けた係止片２４を、ハウジング３の内側に位置して風洞部２の外側から突設した係止部２ｃに係合させている。さらに、図１１〜図１３に示すように、装飾ケース２０の前端部の両側に設けた爪部２２を接続部９の内側に潜らせることで、装飾ケース２０をハウジング３に取り付けている。このとき、係合片２３、爪部２２および係止片２４を外側から見えない位置でそれぞれ係止させている。
【００３３】
したがって、透明または半透明となった装飾ケース２０は、それの外側からは係合部が見えないようになっているため、装飾ケース２０の装飾部２１のデザインが係合部によって損なわれるのが防止される。これにより、ヘアドライヤー１の外観性を良好にして商品価値をより高めることができるようになっている。
【００３４】
また、装飾ケース２０の内側にはイオン発生部カバー８５が配置されているが、このイオン発生部カバー８５は、装飾ケース２０とは係合しないようになっている。具体的には、図４および図１５に示すように、イオン発生部カバー８５の係合部（図４中右端部）８５ａを、ハウジング３の係合片３３に係合するとともに、図１３および図１４に示すように、イオン発生部カバー８５の前端に形成された係合部８５ｂを、接続部９の内側に潜らせて係止させている。このとき、イオン発生部カバー８５の係合部８５ａ、８５ｂが、透明または半透明の装飾ケース２０を通して外側からは見えない状態となるようにしている。
【００３５】
したがって、イオン発生部カバー８５は装飾ケース２０には係合されることは無く、透明または半透明となった装飾ケース２０の外側からはイオン発生部カバー８５の係合部が見えないようになる。これにより、装飾ケース２０部分の外観性を良好にして商品価値をより高めることができる。
【００３６】
かかる構成のヘアドライヤー１は、スイッチＳＷをＯＮすることでファン６１が回転し、風洞部２内に空気が導入される。そして、空気吸込口２ａから導入された空気が空気吹出口２ｂから毛髪に向けて吹き出す。なお、吹き出し風は、ヒータのオン・オフによって温風や冷風に切り替えることができ、毛髪の整髪や乾燥を任意に行うことができる。また、イオン発生部８を作動させることにより、イオン発生部８のイオン放出口８３から毛髪に向かってマイナスイオンを放出でき、毛髪にツヤやしっとり感を与えるとともに、毛髪のクセ取りなどが効果的に行われることになる。
【００３７】
以上、詳細に亘って説明してきたように、本実施形態のヘアドライヤー１では、空気吸込口２ａに設けられた多孔状の保護枠体１０の外側に、当該保護枠体１０の開口領域（複数の開口１０ａ）をさらに細分化するメッシュ状のフィルタ１１を配置している。したがって、フィルタ１１の淵に埃を堆積し難くできるとともに、フィルタ１１に埃が付着したとしてもその埃を外側から容易に掃除できるようになり、空気吸込口２ａ部分の手入れを簡便化することができる。すなわち、埃が保護枠体１０とフィルタ１１の段差に堆積するという不具合を抑制することができる。
【００３８】
また、本実施形態の保護枠体１０は、同心円状に配置される複数の環状枠部１０ｂと、当該環状枠部１０ｂと交わるように空気吸込口２ａの略中心から放射状に延びる複数の直線状枠部１０ｃとにより構成されている。そのため、保護枠体１０の強度を高めることができるとともに、このように保護枠体１０の強度を確保することで、外側に配置されるフィルタ１１の強度も確保することができるようになる。
【００３９】
さらに、保護枠体１０の直線状枠部１０ｃは、複数の環状枠部１０ｂのうち最も内周側となる環状枠部１０ｂＡの内側に位置する内側直線部分１０ｃＡと外側に位置する外側直線部分１０ｃＢとが、一直線方向に対して相互にずれて配置されている。したがって、成形時に中心部交点にエッジが立たないため金型の強度を確保することができるとともに、最も内周側となる環状枠部１０ｂＡ内にもメッシュ状のフィルタ１１を配置することができるようになる。
【００４０】
さらにまた、保護枠体１０の開口１０ａをハニカム構造とすることにより、桟部の強度を一様に保つことができるとともに、開口１０ａの総面積をより大きくすることができるため、風量をさらに増加させることができる。
【００４１】
また、本実施形態では、保護枠体１０とメッシュ状のフィルタ１１とを合成樹脂材料によって一体成形したので、掃除を行った際のフィルタ１１の剥離をより確実に防ぐことができる。つまり、保護枠体１０とメッシュ状のフィルタ１１とを熱溶着などによって接合した場合には、掃除を行った際にフィルタ１１が剥離し易くなってしまう恐れがあるが、本実施形態ではそれを抑制することができる。また、保護枠体１０とフィルタ１１とを一体成形したことにより、両者の一体感をより高めて外観上見栄えをさらに良くすることができる。
【００４２】
さらに、本実施形態では、保護枠体１０を着脱不可となるようにハウジング３に一体もしくは強固に結合したので、保護枠体１０などのフィルタ部材が空気吸込口２ａに着脱自在となっている場合に比べて部品点数を減少でき、それによるコストダウン、軽量化およびサイズダウンを図ることができる。つまり、上記フィルタ部材が空気吸込口２ａに着脱可能となっている場合は、フィルタ部材を取り外した場合に指などが風洞部２内に入らないようにするため、奥側にさらに別のフィルタ部材を設置する必要がある。このように別のフィルタ部材を設ける場合はフィルタ部材が二重構造となるため、部品点数が増加することによるコストアップや重量増およびサイズが大型化されてしまうことになるが、本実施形態ではそれを抑制することができる。また、保護枠体１０を着脱不可としておくことにより、当該保護枠体１０を紛失してしまう虞が無くなる。
【００４３】
［第２実施形態］
次に、本発明の第２実施形態について図面を参照して説明する。図１６および図１７は、本実施形態にかかるヘアドライヤーを示した図である。なお、本実施形態を説明するにあたって、上記第１実施形態のヘアドライヤー１と同一構成部分に同一符号を付して重複する説明を省略して述べるものとする。
【００４４】
本実施形態のヘアドライヤー１Ａは、上記第１実施形態と同様にして、空気吸込口２ａに設けられた多孔状の保護枠体１０の外側に、当該保護枠体１０をさらに細分化するメッシュ状のフィルタ１１を配置している。
【００４５】
ここで、本実施形態のヘアドライヤー１Ａが上記第１実施形態のヘアドライヤー１Ａと主に異なる点は、メッシュ状のフィルタ１１の外側に保護枠体１０と略同一形状の多孔状の支持枠体１２をさらに設けたことにある。この支持枠体１２は、メッシュ状のフィルタ１１を保護枠体１０と挟持することでフィルタ１１の剥離をより確実に防止するとともに、フィルタ１１の外側に位置してフィルタ１１を最外面に位置させないことで、擦れによるフィルタ１１の破れを防ぐようにしたものである。
【００４６】
支持枠体１２は、図１７に示すように、当該支持枠体１２に形成された開口１２ａが保護枠体１０の開口１０ａに対応するとともに、その開口１０ａの形状と略同形状となっている。つまり、支持枠体１２は、保護枠体１０と同様の環状枠部１２ｂおよび直線状枠部１２ｃを備えている。そして、これら保護枠体１０および支持枠体１２の開口１０ａ、１２ａを、空気の流入方向に対して略一致させて配置している。
【００４７】
本実施形態では、支持枠体１２は保護枠体１０とメッシュ状のフィルタ１１と同様に合成樹脂材料で成形され、これら保護枠体１０とフィルタ１１と支持枠体１２とが一体成形されるようになっている。
【００４８】
また、支持枠体１２の厚みは保護枠体１０の厚みよりも薄く形成されており、保護枠体１０の厚みが１．５ｍｍ程度であるのに対して、支持枠体１２は０．２ｍｍ程度の厚みに形成されることが好ましい。すなわち、支持枠体１２の厚みを０．２ｍｍ以下、もしくは支持枠体１２を設けない場合は、擦れによりメッシュ状のフィルタ１１が破損され易くなってしまう。その一方で、支持枠体１２の厚みを厚くし過ぎると、フィルタ１１の淵に埃が溜まりやすくなってしまい、埃を堆積し難く且つ埃が付着したとしても容易に掃除ができるという本願特有の効果が得られなくなってしまう恐れがある。したがって、支持枠体１２を０．２ｍｍ程度の厚みに形成すれば、フィルタ１１の破損を抑制しつつ、特有の効果、即ち空気吸込口２ａ部分の手入れを簡便化することの可能なヘアドライヤー１Ａを提供することができる。
【００４９】
なお、本実施形態の保護枠体１０も上記第１実施形態と同様に、着脱不可となるようにハウジング３に一体もしくは強固に結合されている。つまり、本実施形態では、それに一体成形されたメッシュ状フィルタ１１および保護枠体１２もハウジング３に対して着脱不可となっている。
【００５０】
以上の構成により、本実施形態のヘアドライヤー１Ａによれば、上記第１実施形態と同様にして、多孔状の保護枠体１０の外側に当該保護枠体１０の開口領域（複数の開口１１０ａ）をさらに細分化するメッシュ状のフィルタ１１を配置したため、フィルタ１１の淵に埃を堆積し難くできる。
【００５１】
また、本実施形態では、メッシュ状のフィルタ１１のさらに外側に、保護枠体１０と略同一形状の多孔状の支持枠体１２を設けたので、保護枠体１０を支持枠体１２によって補強できる。そして、これら保護枠体１０および保護枠体１２の開口１０ａ、１２ａを、空気の流入方向に対して略一致させて配置したので、保護枠体１０の強度を増大させつつ、風量が減少するのを抑制することができる。
【００５２】
さらにまた、支持枠体１２の厚みを保護枠体１０の厚みよりも薄く形成したので、フィルタ１１の破損を抑制しつつ、フィルタ１１に埃が付着したとしてもその埃を支持枠体１２の外側から掃除し易くすることができる。すなわち、埃は段差となる支持枠体１２内側のフィルタ１１に堆積するが、保護枠体１０の厚みよりも薄く形成した支持枠体１２によって、従来よりその段差を小さくすることができるようになり、フィルタ１１に堆積された埃の清掃を行い易くすることができる。
【００５３】
また、支持枠体１２を保護枠体１０およびメッシュ状のフィルタ１１と一体成形したことにより、フィルタ１１の剥離をより確実に防止できる。また、フィルタ１１の外側を支持枠体１２で覆うことができるので、擦れなどによるフィルタ１１の破損を抑制することができ、フィルタ１１の耐久性を向上することができる。
【００５４】
［第３実施形態］
図１８〜図２０は、本発明にかかる髪ケア装置の第３実施形態を示した図であり、本実施形態では、髪ケア装置としてブラシ付きヘアドライヤー１００に例をとって説明するものとする。なお、図１８および図１９は、ヘアドライヤー１００のブラシ部分を取外した本体部分のみを示してあり、図１９中、Ｆｒは前方、Ｕｐは上方を示す。また、本実施形態を説明するにあたって、上記第１実施形態のヘアドライヤー１と同一構成部分に同一符号を付して重複する説明を省略して述べるものとする。
【００５５】
図１８および図１９に示すように、本実施形態のヘアドライヤー１００は、基本的に第１実施形態のヘアドライヤー１と同様の構成となるが、グリップ部が存在せず本体部分を直接握持して用いられる。本体部分には、送風部６を備えた風洞部２をハウジング３内部に有し、その風洞部２の後端部に設けられた空気吸込口２ａには、図２０に示すように保護枠体１０とメッシュ状のフィルタ１１と支持枠体１２とが設けられている。なお、これら保護枠体１０、メッシュ状のフィルタ１１および支持枠体１２は、本実施形態の空気吸込口２ａに合わせた形状となっている。
【００５６】
この場合にあっても、保護枠体１０とメッシュ状のフィルタ１１と支持枠体１２とは、合成樹脂材料によって一体成形されることが好ましく、また、保護枠体１０および支持枠体１２の構造も上記第１実施形態と同様にし、さらに保護枠体１０をハウジング３から着脱不可としておくことが好ましい。
【００５７】
また、本実施形態では電源に繋ぐコードＣが保護枠体１０、メッシュ状のフィルタ１１および支持枠体１２のそれぞれの中心部を貫通してハウジング３内に接続されている。また、図１９には送風部６の下流側にヒータ装置Ｈが設けられており、オン・オフや風量および温風温度を制御するスイッチＳＷは本体部分の側面に設けられる。
【００５８】
そして、本実施形態では風洞部２の前端部に空気吹出口２ｂが同様に設けられるが、この空気吹出口２ｂが図示省略したブラシを着脱自在に嵌着する取付孔となっている。
【００５９】
また、本実施形態にあっても上記第１実施形態と同様に風洞部２の上部にイオン発生部８が設けられ、このイオン発生部８を覆う部分が装飾ケース２０Ａで構成される。この装飾ケース２０Ａは、もちろん裏面に第１の実施形態で示したように肉厚変化でダイヤモンドカット状に形成された装飾部２１が設けられ、その装飾部２１には必要に応じ、また、任意にメタリック調の塗装などが施される。
【００６０】
したがって、本実施形態のブラシ付きヘアドライヤー１Ａを使用するには、空気吹出口２ｂに図示省略したブラシを装着してスイッチＳＷをＯＮすることにより、第１実施形態のヘアドライヤー１と同様に空気吹出口２ｂから冷風や温風などの風が吹き出される。その吹き出された風はブラシの内部を通過してブラシの形成面から吹き出し、ブラシで毛髪を梳かしつつ風を当てることができる。この場合にあってもイオン発生部８から毛髪に向かってマイナスイオンが放出され、毛髪にツヤやしっとり感を与えるとともに、毛髪のクセ取りを効果的に行うことができる。
【００６１】
以上の構成により、本実施形態のブラシ付きヘアドライヤー１００によれば、上記第１実施形態のヘアドライヤー１と同様に、空気吸込口２ａに保護枠体１０とメッシュ状のフィルタ１１と支持枠体１２とを設けたことにより、埃を堆積し難くするとともに、容易に掃除ができるようになるなどの第１実施形態と同様の作用効果を奏することができる。
【００６２】
もちろん、本実施形態にあっても空気吸込口２ａには、支持枠体１２を除いて保護枠体１０とメッシュ状のフィルタ１１のみを設けてもよい。
【００６３】
以上、本発明の好適な実施形態について説明したが、本発明は上記実施形態には限定されず、種々の変形が可能である。たとえば、イオン発生部８が設けられないヘアドライヤー１、１Ａ、１００にあっても本発明を適用することができ、また、ヘアドライヤー１，１Ａやブラシ付きヘアドライヤー１００以外にも、毛髪の整髪や手入れを行うことができる髪ケア装置であれば本発明を適用することができる。
【符号の説明】
【００６４】
１、１Ａ  ヘアドライヤー（髪ケア装置）
１００  ブラシ付きヘアドライヤー（髪ケア装置）
２ａ  空気吸込口
２ｂ  空気吹出口
３  ハウジング
６  送風部
１０  保護枠体
１１  フィルタ
１２  支持枠体
【図１】
2012010863.tif 000003
【図２】
2012010863.tif 000004
【図３】
2012010863.tif 000005
【図４】
2012010863.tif 000006
【図５】
2012010863.tif 000007
【図６】
2012010863.tif 000008
【図７】
2012010863.tif 000009
【図８】
2012010863.tif 000010
【図９】
2012010863.tif 000011
【図１０】
2012010863.tif 000012
【図１１】
2012010863.tif 000013
【図１２】
2012010863.tif 000014
【図１３】
2012010863.tif 000015
【図１４】
2012010863.tif 000016
【図１５】
2012010863.tif 000017
【図１６】
2012010863.tif 000018
【図１７】
2012010863.tif 000019
【図１８】
2012010863.tif 000020
【図１９】
2012010863.tif 000021
【図２０】
2012010863.tif 000022